(57)【要約】  【課題】結束バンドを用いたケーブルの結束固定の作業効率を良くする。  【解決手段】複数のモジュラジャック１を一方向に併設するパネル２を複数備え、複数の矩形状の窓孔３０に複数のパネル２を併設する矩形枠状部３１およびこの矩形枠状部３１の長手方向に沿う両端の一端から後方に立設される電線固定片３２により構成されるフレーム３を備えるパッチパネルを構成する。そして、電線固定片３２に、モジュラジャック１に結線されたケーブルを結束する結束バンドの挿通孔３２０ａを複数形成し、挿通孔３２０ａの寸法を指の入る程度の寸法に設定する。【選択図】図１
2005209389.tif 000002
【特許請求の範囲】
【請求項１】
フレームの長手方向に複数のコネクタを併設するパッチパネルであって、前記フレームの長手方向に沿う両端の一端から後方に電線固定片が立設され、この電線固定片は、前記コネクタに接続されたケーブルを結束する結束バンドを挿通するための指の入る程度の挿通孔を有することを特徴とするパッチパネル。
【請求項２】
前記電線固定片は、前記長手方向に沿い前記フレームの内側に屈曲する屈曲部を有し、その屈曲部の突面上に前記挿通孔が形成されていることを特徴とする請求項１記載のパッチパネル。
【請求項３】
前記挿通孔の寸法よりも小さい寸法に設定された、前記結束バンドを挿通するための挿通小孔が、前記挿通孔に併設されていることを特徴とする請求項１または２記載のパッチパネル。
【発明の詳細な説明】
【技術分野】
【０００１】
本発明は、情報配線システムで使用されるパッチパネルに関するものである。
【背景技術】
【０００２】
図２に、従来のパッチパネルを構成するフレームの正面図（ａ）、上面図（ｂ）、下面図（ｃ）および右側面図（ｄ）を示す（特許文献１参照）。
【０００３】
この図に示すパッチパネルは、複数のモジュラジャックを一方向に併設するパネル（図示せず）を複数備えるとともに、複数の窓孔３０に複数のパネルを併設する矩形枠状部３１およびこの矩形枠状部３１の長手方向に沿う両端の一端（下端）から後方に立設される電線固定片３２により構成されるフレーム３とを備えている。
【０００４】
このような構成のパッチパネルでは、モジュラジャックに結線されたケーブルが電線固定片３２に形成された各挿通孔３２０に挿通された結束バンドにより適宜結束固定されるようになっている。
【特許文献１】特許第３４８２９０７号公報
【発明の開示】
【発明が解決しようとする課題】
【０００５】
しかしながら、上記従来のパッチパネルでは、モジュラジャックに結線されたケーブルを結束する結束バンドの挿通孔の寸法が小さいため、結束バンドを用いたケーブルの結束固定の作業効率が悪かった。
【０００６】
また、図２（ｄ）に示すように、電線固定片３２の外側（下側）にＬＡＮ機器が設置される場合、結束バンドを挿通孔３２０に挿通することができない問題があった。
【０００７】
本発明は、上記事情に鑑みてなされたものであり、結束バンドを用いたケーブルの結束固定の作業効率が良くなるパッチパネルを提供することを目的とする。
【課題を解決するための手段】
【０００８】
上記課題を解決するための請求項１記載の発明のパッチパネルは、フレームの長手方向に複数のコネクタを併設するパッチパネルであって、前記フレームの長手方向に沿う両端の一端から後方に電線固定片が立設され、この電線固定片は、前記コネクタに接続されたケーブルを結束する結束バンドを挿通するための指の入る程度の挿通孔を有することを特徴とする。この構成では、結束バンドの挿通孔に指を入れることができるので、結束バンドを用いたケーブルの結束作業効率が良くなる。
【０００９】
請求項２記載の発明は、請求項１記載のパッチパネルにおいて、前記電線固定片は、前記長手方向に沿い前記フレームの内側に屈曲する屈曲部を有し、その屈曲部の突面上に前記挿通孔が形成されていることを特徴とする。この構成では、電線固定片の対面にＬＡＮ機器などがあっても結束作業が可能となる。
【００１０】
請求項３記載の発明は、請求項１または２記載のパッチパネルにおいて、前記挿通孔の寸法よりも小さい寸法に設定された、前記結束バンドを挿通するための挿通小孔が、前記挿通孔に併設されていることを特徴とする。この構成では、結束バンドによるケーブルの結束固定に対する挿通孔の使い分けが可能となる。
【発明の効果】
【００１１】
本発明によれば、結束バンドを用いたケーブルの結束固定の作業効率が良くなるパッチパネルを提供することができる。
【発明を実施するための最良の形態】
【００１２】
図１は本発明による一実施形態のパッチパネルの分解斜視図である。
【００１３】
本実施形態のパッチパネルは、図示しないオープンラックまたはキャビネットラックなどのラックに取り付けられて使用されるものであり、図１の例に示すように、複数（図では６個）のモジュラジャック１を一方向（左右方向）に千鳥式で着脱自在に併設する樹脂製のパネル２を複数（図では４個）備えているとともに、それら複数のパネル２をそれぞれ複数の矩形状の窓孔３０に着脱自在に併設する金属製のフレーム３を備えている。
【００１４】
モジュラジャック１には、例えば、前面に図略のモジュラプラグを挿入するためのプラグ挿入口１０を有し、そのプラグ挿入口１０内に設けられモジュラプラグの複数の接触子とそれぞれ弾接する複数のコンタクト側に対するケーブルの結線に、特殊な工具（例えばパンチダウン工具）の要らないツール・フリータイプのものが使用可能である。
【００１５】
モジュラジャック１の左右の各側面には、ばね性を有するとともに後方に向かって高くなるテーパ面を持つ突起１１が前面側中央に形成され、その後方上部に位置決め突起１２が形成され、さらに突起１１および位置決め突起１２の後方下部に別の位置決め突起１３が形成されている。モジュラジャック１の上側面には、角状の前方部分に対してケーブル格納部となる後方部分を一段高くする段差１４が形成されているとともに、その後方部分に凹所１５が形成され、その凹所１５と前方部分の境における上記段差１４の部分が係止部１４ａを形成している。なお、１６は、下方および後方に開口する上記ケーブル格納部の下方側を着脱自在に閉塞するキャップであり、上記各コンタクトに電気的に接続される各ＩＤＣ端子のスリットへのケーブルの各線の圧入状態を保持するようになっている。
【００１６】
パネル２は、フレーム３の窓孔３０を閉塞する平板矩形状に形成され、モジュラジャック１の角状の前方部分が填め込まれる開口２０を複数左右方向に千鳥式で配列するパネル本体部２１と、各開口２０の上縁部から後方に延設されモジュラジャック１の上側面と当接する上突片２２と、各開口２０の下縁部から後方に延設されモジュラジャック１の下側面と当接する下突片２３とを一体に有している。
【００１７】
開口２０の後方縁部には、モジュラジャック１の各突起１３と当接する規制片２０１が形成されている。また、開口２０内には、モジュラジャック１の各突起１１に対応する位置に逃げ溝（図示せず）が形成されている。
【００１８】
パネル本体部２１には、右上角部の裏面に位置決め突起２１１が形成され、各上突片２２の右方に、後方に突出し先端に上向きの係止爪を有する係止片（図では隠れている）が形成され、下端左右にそれぞれ一対の溝２１２，２１２が形成され、それら溝２１２，２１２の後方縁部からそれぞれ後方に突出して断面Ｕ字状に前方に湾曲する湾曲片２１３，２１３が形成されている。各湾曲片２１３のばね性を有する下側部分には、係止突起（図では隠れている）が形成されている。
【００１９】
上突片２２の後方には角状の孔（図では隠れている）が形成され、その上突片２２の孔の後方縁部上方には、前後方向を長手方向とするロック片２２１が一体成形されている。そして、ロック片２２１の前方下端には、上記角状の孔を介して、モジュラジャック１の係止部１４ａと係止する係止突起が形成されている。一方、上突片２２の孔の前方縁部には、ロック片２２１の上方への動きを規制する規制片２２２が形成されている。
【００２０】
フレーム３は、複数の窓孔３０にそれぞれ複数のパネル２を併設する矩形枠状部３１およびこの長手方向に沿う両端の一端（図では下端）から後方に立設される電線固定片３２を一体に有する形状に形成されている。
【００２１】
矩形枠状部３１の左右両端には、当該フレーム３を上記ラックにねじ止めするためのねじ挿通孔３１１およびねじ挿通溝３１２が形成されている。また、矩形枠状部３１の各窓孔３０の右上側縁部には、パネル２の位置決め突起２１１と凹凸嵌合する嵌合孔３１３が形成されている。なお、矩形枠状部３１の各窓孔３０の上側縁部３１４には、パネル本体部２１の上記各係止片の係止爪が係止する一方、下側縁部３１５には、パネル本体部２１の各湾曲片２１３の係止突起が係止する。
【００２２】
電線固定片３２の前方左右両端には、それぞれ上方に突出する突出片３２１，３２１が一体に形成され、電線固定片３２の後方には、左右方向（一方向）に沿い当該フレーム３の内側（上側）に屈曲する断面コ字状の屈曲部３２２が形成されている。この屈曲部３２２の突面上には、各モジュラジャック１に結線されたケーブルを結束する結束バンドの挿通孔３２０ａ，３２０ｂが複数形成されている。
【００２３】
これら複数の挿通孔のうち、各挿通孔３２０ａは、指の入る程度の寸法に設定され、各挿通孔（挿通小孔）３２０ｂは、挿通孔３２０ａの寸法よりも小さい寸法に設定されている。例えば、挿通孔３２０ａは１５×４０［ｍｍ］に設定され、挿通孔３２０ｂは１５×５［ｍｍ］に設定される。
【００２４】
次に、本実施形態のパッチパネルの組立手順の一例について説明する。まず、パネル２の後方から、その各開口２０に対して、パネル２のロック片２２１の係止突起がモジュラジャック１の係止部１４ａと係止するまで、モジュラジャック１を挿入する。ロック片２２１の係止突起がモジュラジャック１の係止部１４ａと係止すると、モジュラジャック１は、上突片２２および下突片２３により上下方向の動きが規制される。また、モジュラジャック１は、突起１２が開口２０の後方縁部に当接し、突起１３がパネル２の規制片２０１と当接することにより前方への動きが規制される一方、係止部１４ａがロック片２２１の係止突起と係止することにより後方への動きが規制される。さらに、モジュラジャック１は、係止部１４ａのロック片２２１の係止突起との係止、開口２０、規制片２０により左右方向への動きが規制される。なお、ロック片２２１の後方を下方に押下することにより、パネル２からモジュラジャック１を取り外すことができる。
【００２５】
次いで、フレーム３の前方から、その各窓孔３０に対して、パネル２の各モジュラジャック１側を挿入しながら、パネル本体部２１の上記各係止片の係止爪を各窓孔３０の上側縁部３１４に係止させるとともに、パネル本体部２１の各湾曲片２１３の係止突起を各窓孔３０の下側縁部３１５に係止する。これにより、パッチパネルの組立てが完了する。なお、各湾曲片２１３の先端側を上方に湾曲させることにより、フレーム３からパネル２を取り外すことができる。
【００２６】
また、上記ラックに本パッチパネルを取り付ける際には、各モジュラジャック１に結線されたケーブルを、各挿通孔（３２０ａ，３２０ｂ）に挿通した結束バンドで適宜結束固定すればよい。
【００２７】
以上、本実施形態によれば、結束バンドの挿通孔３２０ａの寸法が指の入る程度の寸法に設定されているので、結束バンドを用いたケーブルの結束固定の作業効率が良くなる。
【００２８】
また、電線固定片３２が屈曲部３２２を有し、屈曲部３２２の突面上に複数の挿通孔３２０ａ，３２０ｂが形成されているので、電線固定片３２の外側にＬＡＮ機器があっても結束作業が可能となる。
【００２９】
さらに、複数の挿通孔３２０ａ，３２０ｂのうち、一部の挿通孔３２０ａの寸法が指の入る程度の寸法に設定され、残部の挿通孔３２０ｂの寸法は挿通孔３２０ａの寸法よりも小さい寸法に設定されているので、結束バンドによるケーブルの結束固定に対する挿通孔の使い分けが可能となる。なお、図１における３２０ｃ等も結束バンドの挿通孔として利用可能である。
【図面の簡単な説明】
【００３０】
【図１】本発明による一実施形態のパッチパネルの分解斜視図である。
【図２】従来のパッチパネルを構成するフレームの正面図（ａ）、上面図（ｂ）、下面図（ｃ）および右側面図（ｄ）である。
【符号の説明】
【００３１】
１  モジュラジャック
２  パネル
３  フレーム
３１  矩形枠状部
３２  電線固定片
３２０ａ，３２０ｂ  挿通孔
３２２  屈曲部
【図１】
2005209389.tif 000003
【図２】
2005209389.tif 000004